(57)【要約】【課題】ウィング部を有する尿パッドを補助的に併用するのに適した使い捨ておむつを提供する。【解決手段】外装部材２と、外装部材２の肌面側に設けられ、吸収体８と防漏シート１２を有する吸収性本体７とを有する使い捨ておむつ１であって、吸収体８は吸収性コア９が被覆シートで覆われて形成され、防漏シート１２は、幅方向ｘの中央部が吸収体８の非肌面側に設けられ、幅方向ｘの両側部が吸収体８の幅方向ｘの側縁に沿って起立可能に形成され、吸収体８は、前側端部と後側端部が防漏シート１２に接合され、前側端部と後側端部の間の中間部は、幅方向ｘの両側部が防漏シート１２に接合されておらず、吸収性コア９の前側縁を覆い、吸収性本体７と外装部材２に接合された前側押さえシート１５と、吸収性コア９の後側縁を覆い、吸収性本体７と外装部材２に接合された後側押さえシート１６とが設けられている。【選択図】図２
2020192178.tif 000002
【特許請求の範囲】
【請求項１】
前側胴部と後側胴部とこれらの間に位置する股部を有する外装部材と、
前記外装部材の肌面側に設けられ、吸収体と防漏シートを有する吸収性本体とを有する使い捨ておむつであって、
前記吸収体は、吸収性コアと、前記吸収性コアの肌面側と非肌面側を覆うように設けられた被覆シートを有し、
前記防漏シートは、幅方向の中央部が前記吸収体の非肌面側に設けられ、幅方向の両側部が前記吸収体の幅方向の側縁に沿って起立可能に形成され、
前記吸収体は、前側端部と後側端部が前記防漏シートに接合され、前記前側端部と前記後側端部の間の中間部は、前記防漏シートに接合されていないか、幅方向の中央部が前記防漏シートに接合され、幅方向の両側部が前記防漏シートに接合されておらず、
前記吸収性コアの前側縁を覆い、吸収性本体と外装部材に接合された前側押さえシートと、前記吸収性コアの後側縁を覆い、吸収性本体と外装部材に接合された後側押さえシートとが設けられていることを特徴とする使い捨ておむつ。
【請求項２】
前記被覆シートは、前記吸収性コアを肌面側から非肌面側にかけて覆うように設けられ、前記吸収性コアの両側縁に沿って前記吸収性コアの非肌面側に折り返されている請求項１に記載の使い捨ておむつ。
【請求項３】
前記防漏シートの両側部が起立する起点となる起立基部は、前記吸収体の幅方向の側縁から幅方向の外方に５ｍｍ以上離間して位置する請求項１または２に記載の使い捨ておむつ。
【請求項４】
前記防漏シートの両側部は、幅方向の内方に傾いて起立可能に形成され、
前記防漏シートの両側部は、倒伏状態で前記吸収体と重ならないように設けられている請求項１〜３のいずれか一項に記載の使い捨ておむつ。
【請求項５】
前記吸収性コアの非肌面側にはコア裏面接着部が設けられ、前記コア裏面接着部で前記吸収性コアと前記被覆シートとが接合され、
前記コア裏面接着部は、前記前側端部から前記後側端部にかけて設けられている請求項１〜４のいずれか一項に記載の使い捨ておむつ。
【請求項６】
前記吸収性コアの非肌面側にはコア裏面接着部が設けられ、前記コア裏面接着部で前記吸収性コアと前記被覆シートとが接合され、
前記コア裏面接着部は、少なくとも前記中間部において、前記吸収性コアの幅方向の一方側と他方側に設けられている請求項１〜５のいずれか一項に記載の使い捨ておむつ。
【請求項７】
前記吸収性コアは、幅方向の両側縁が直線状に形成されている請求項１〜６のいずれか一項に記載の使い捨ておむつ。
【請求項８】
前記前側押さえシートと前記後側押さえシートは、接着剤により前記吸収性本体と前記外装部材に接合され、
前記前側押さえシートは、前記吸収性本体の前側縁より後側部分の単位面積当たりの接着剤塗布量が、前記吸収性本体の前側縁より前側部分の単位面積当たりの接着剤塗布量よりも多く、
前記後側押さえシートは、前記吸収性本体の後側縁より前側部分の単位面積当たりの接着剤塗布量が、前記吸収性本体の後側縁より後側部分の単位面積当たりの接着剤塗布量よりも多い請求項１〜７のいずれか一項に記載の使い捨ておむつ。
【請求項９】
前記前側押さえシートは、前記吸収性本体の前側縁より前側部分の前後方向の長さが、前記吸収性本体の前側縁より後側部分の前後方向の長さよりも長く、
前記後側押さえシートは、前記吸収性本体の後側縁より後側部分の前後方向の長さが、前記吸収性本体の後側縁より前側部分の前後方向の長さより長い請求項１〜８のいずれか一項に記載の使い捨ておむつ。
【請求項１０】
前記外装部材は、ウェスト開口部と一対の脚開口部を有するパンツ形状に形成されており、
前記外装部材には、前記脚開口部の前側の縁に沿って延び、前記吸収性本体を幅方向に横切って延びる前側脚部弾性部材と、前記脚開口部の後側の縁に沿って延び、前記吸収性本体を幅方向に横切って延びる後側脚部弾性部材とが設けられ、
前記前側脚部弾性部材と前記後側脚部弾性部材は、前記吸収体と重なる部分で断続的に設けられている請求項１〜９のいずれか一項に記載の使い捨ておむつ。
【発明の詳細な説明】
【技術分野】
【０００１】
本発明は、使い捨ておむつに関するものであり、特に、尿パッドを併用して好適に用いることができる使い捨ておむつに関するものである。
【背景技術】
【０００２】
従来、使い捨ておむつの肌面側に補助的な尿パッドを配して使用する方法が知られている。このような使用方法によれば、着用者から排泄された尿等を尿パッドがまず受けることとなるため、尿パッドのみを適宜交換して、その外側に装着される使い捨ておむつを使用し続けることにより、吸収性物品にかかるトータルの使用コストを低減することが可能となる。また、尿パッドのみを交換することで、尿パッドの外側に装着される使い捨ておむつを交換する場合と比べて、介護者等が交換作業を簡単に行えるようになる。
【０００３】
補助的な尿パッドを併用するのに適した吸収性物品として、例えば特許文献１には、吸収体の肌側面に前後方向に延びるように設けられた第１フラップと、第１フラップの幅方向の外方に前後方向に延びるように設けられた第２フラップを有する吸収性物品が開示され、特許文献２には、シート状の防漏体と吸収体を有する吸収性物品本体と、吸収性物品本体と前端部および後端部において結合する連結構造体とを有する吸収性物品であって、連結構造体が、左右一対の帯状支持体と、左右の縁部がそれぞれ左右一対の帯状支持体を結合する連結シートを有する吸収性物品が開示されている。
【先行技術文献】
【特許文献】
【０００４】
【特許文献１】特開２０１４−１２４５０９号公報
【特許文献２】国際公開第２０１４／０５７５７１号
【発明の概要】
【発明が解決しようとする課題】
【０００５】
上記に説明したように、従来、補助的な尿パッドを併用するのに適した吸収性物品が様々知られているが、尿パッドの中には幅方向の両側にウィング部を有するものも知られている。しかし、特許文献１、２に開示される吸収性物品は、そのようなウィング部を有する尿パッドを併用するのに適したものとはいえない。
【０００６】
本発明は前記事情に鑑みてなされたものであり、その目的は、ウィング部を有する尿パッドを補助的に併用するのに適した使い捨ておむつを提供することにある。
【課題を解決するための手段】
【０００７】
前記課題を解決することができた本発明の使い捨ておむつとは、前側胴部と後側胴部とこれらの間に位置する股部を有する外装部材と、外装部材の肌面側に設けられ、吸収体と防漏シートを有する吸収性本体とを有する使い捨ておむつであって；吸収体は、吸収性コアと、吸収性コアの肌面側と非肌面側を覆うように設けられた被覆シートを有し；防漏シートは、幅方向の中央部が吸収体の非肌面側に設けられ、幅方向の両側部が吸収体の幅方向の側縁に沿って起立可能に形成され；吸収体は、前側端部と後側端部が防漏シートに接合され、前側端部と後側端部の間の中間部は、防漏シートに接合されていないか、幅方向の中央部が防漏シートに接合され、幅方向の両側部が防漏シートに接合されておらず；吸収性コアの前側縁を覆い、吸収性本体と外装部材に接合された前側押さえシートと、吸収性コアの後側縁を覆い、吸収性本体と外装部材に接合された後側押さえシートとが設けられているところに特徴を有する。
【０００８】
本発明の使い捨ておむつは、上記のように構成されることにより、ウィング部を有する尿パッドを吸収体に取り付けて好適に用いることができる。すなわち、吸収体の非肌面側は、前後方向の中間部の幅方向の両側部が防漏シートに対して非接合とされているため、ウィング部を有する尿パッドを吸収体の肌面側に載置した際、尿パッドのウィング部を吸収体の中間部の両側部と防漏シートの間に挟み込んで、尿パッドを安定して吸収体に取り付けることができる。また、吸収性本体の前後端部を覆うように前側押さえシートと後側押さえシートが設けられることにより、吸収性コアの前後端部が肌面側から押さえられ、ウィング部を有する尿パッドを吸収体に取り付けた際に、吸収体が防漏シートや外装部材から浮き上がるのを抑えることができる。そのため、ウィング部を有する尿パッドを併用した際に、尿パッドを着用者の股間部に安定してセットすることができる。
【０００９】
被覆シートは、吸収性コアを肌面側から非肌面側にかけて覆うように設けられ、吸収性コアの両側縁に沿って吸収性コアの非肌面側に折り返されていることが好ましい。このように吸収体が形成されていれば、吸収体の幅方向の側縁が吸収性コアの幅方向の側縁と略一致し、尿パッドを吸収体に取り付ける際、尿パッドのウィング部を吸収性コアの幅方向の側縁に沿って折り曲げやすくなる。
【００１０】
防漏シートの両側部が起立する起点となる起立基部は、吸収体の幅方向の側縁から幅方向の外方に５ｍｍ以上離間して位置することが好ましい。このように防漏シートの両側部が形成されていれば、ウィング部を有する尿パッドを吸収体に取り付ける際、尿パッドのウィング部を吸収体と防漏シートの両側部の間を通して、吸収体の非肌面側に取り付けることが容易になる。
【００１１】
防漏シートの両側部は幅方向の内方に傾いて起立可能に形成され、防漏シートの両側部は、倒伏状態で吸収体と重ならないように設けられていることが好ましい。このように防漏シートの両側部が形成されていれば、ウィング部を有する尿パッドを吸収体に取り付ける際に防漏シートの両側部が邪魔にならず、ウィング部を吸収体の非肌面側に取り付けることが容易になる。
【００１２】
吸収性コアの非肌面側にはコア裏面接着部が設けられ、コア裏面接着部で吸収性コアと被覆シートとが接合され、コア裏面接着部は、前側端部から後側端部にかけて設けられていることが好ましい。このようにコア裏面接着部が設けられることにより、吸収体の前側端部から後側端部にかけて剛性が付与され、ウィング部を有する尿パッドを吸収体に取り付ける際に、吸収体がへたりにくくなり、ウィング部の吸収体の非肌面側への取り付け作業が容易になる。
【００１３】
コア裏面接着部は、少なくとも中間部において、吸収性コアの幅方向の一方側と他方側に設けられていることも好ましい。このようにコア裏面接着部が設けられることにより、吸収体の非肌面側のウィング部が当たる部分の剛性が高まり、ウィング部の吸収体の非肌面側への取り付け作業が容易になる。
【００１４】
吸収性コアは、幅方向の両側縁が直線状に形成されていることが好ましい。このように吸収性コアが形成されていれば、ウィング部を有する尿パッドを吸収体に取り付ける際、ウィング部を吸収性コアの両側縁に沿って真っ直ぐに折り曲げやすくなる。そのため、尿パッドを安定して吸収体に取り付けることができ、また、吸収体に取り付けた尿パッドに縒れや歪みが生じにくくなる。
【００１５】
前側押さえシートと後側押さえシートは接着剤により吸収性本体と外装部材に接合され、前側押さえシートは、吸収性本体の前側縁より後側部分の単位面積当たりの接着剤塗布量が、吸収性本体の前側縁より前側部分の単位面積当たりの接着剤塗布量よりも多く、後側押さえシートは、吸収性本体の後側縁より前側部分の単位面積当たりの接着剤塗布量が、吸収性本体の後側縁より後側部分の単位面積当たりの接着剤塗布量よりも多いことが好ましい。これにより、吸収性本体の前側端部と後側端部が前側押さえシートと後側押さえシートによって強固に接合され、吸収性本体を安定して外装部材に取り付けることができる。また、外装部材の吸収性本体の前側縁より前側部分と後側縁より後側部分の柔軟性や通気性を高めることができる。
【００１６】
前側押さえシートは、吸収性本体の前側縁より前側部分の前後方向の長さが、吸収性本体の前側縁より後側部分の前後方向の長さよりも長く、後側押さえシートは、吸収性本体の後側縁より後側部分の前後方向の長さが、吸収性本体の後側縁より前側部分の前後方向の長さより長いことが好ましい。このように前側押さえシートと後側押さえシートを設けることにより、吸収体の肌面側に露出した部分の面積を確保しつつ、前側押さえシートと後側押さえシートによって吸収性本体を安定して外装部材に取り付けることができる。
【００１７】
本発明の使い捨ておむつは、いわゆるパンツ型の使い捨ておむつに好適に適用することができる。この場合、外装部材はウェスト開口部と一対の脚開口部を有するパンツ形状に形成され、外装部材には、脚開口部の前側の縁に沿って延び、吸収性本体を幅方向に横切って延びる前側脚部弾性部材と、脚開口部の後側の縁に沿って延び、吸収性本体を幅方向に横切って延びる後側脚部弾性部材とが設けられ、前側脚部弾性部材と後側脚部弾性部材は、吸収体と重なる部分で断続的に設けられていることが好ましい。このように外装部材が構成されていれば、吸収体が脚部弾性部材の収縮力によって歪みにくくなり、吸収体の着用者の股間でのフィット性が高まる。また、ウィング部を有する尿パッドを吸収体に安定して取り付けやすくなる。
【発明の効果】
【００１８】
本発明の使い捨ておむつは、ウィング部を有する尿パッドを併用する際、尿パッドを吸収体の肌面側に載置してウィング部を吸収体の中間部の両側部と防漏シートの間に挟み込むことにより、尿パッドを安定して吸収体に取り付けることができる。また、吸収性本体の前後端部を覆うように前側押さえシートと後側押さえシートが設けられることにより、吸収性コアの前後端部が肌面側から押さえられ、ウィング部を有する尿パッドを吸収体に取り付けた際に、吸収体が防漏シートや外装部材から浮き上がるのを抑えることができる。そのため、ウィング部を有する尿パッドを併用した際に、尿パッドを着用者の股間部に安定してセットすることができる。
【図面の簡単な説明】
【００１９】
【図１】本発明の使い捨ておむつの一例を表し、使い捨てパンツ型おむつの斜視図を表す。
【図２】図１に示した使い捨ておむつの前側胴部と後側胴部との接合を解いて展開した状態を肌面側から見た平面図を表す。
【図３】図２に示した使い捨ておむつのＩＩＩ−ＩＩＩ断面図の例を表す。
【図４】図２に示した使い捨ておむつのＩＶ−ＩＶ断面図を表す。
【図５】図２に示した使い捨ておむつに備えられた吸収性本体を肌面側から見た平面図を表す。
【図６】吸収性本体を肌面側から見た平面図の他の例を表す。
【図７】本発明の使い捨ておむつに併用されるウィング部を有する尿パッドの構成例を表し、尿パッドを肌面側から見た平面図を表す。
【発明を実施するための形態】
【００２０】
本発明の使い捨ておむつは、尿パッドを補助的に併用して好適に用いることができるものであり、詳細には、幅方向の両側にウィング部を有する尿パッドを使い捨ておむつの肌面側に載置して好適に用いることができるものである。ウィング部を有する尿パッドは、吸収体が配された本体部と、本体部から幅方向の外方に延出したウィング部を有するように構成され、ウィング部の非肌面側には通常、粘着部や面ファスナー等の止着手段が設けられる。本発明の使い捨ておむつは、このようなウィング部を有する尿パッドを肌面側に載置した際に、ウィング部を使い捨ておむつの吸収体に巻き付けて取り付けることができるように構成されている。そのため、本発明の使い捨ておむつによれば、補助的に用いる尿パッドを肌面側に安定して載置することができ、尿パッドが使い捨ておむつに対して位置ズレしにくくなる。以下、本発明の使い捨ておむつについて、図面を参照して説明する。なお本発明は、図面に示された実施態様に限定されるものではない。
【００２１】
図１〜図４には、本発明の使い捨ておむつの一例として、パンツ型の使い捨ておむつを示した。図１は使い捨ておむつの斜視図を表し、図２は、図１に示した使い捨ておむつの前側胴部と後側胴部との接合を解いて平面に展開した状態を肌面側から見た図を表し、図３は、図２に示した使い捨ておむつのＩＩＩ−ＩＩＩ断面図の例を表し、図４は、図２に示した使い捨ておむつのＩＶ−ＩＶ断面図を表す。なお図面では、矢印ｘが幅方向、矢印ｙが前後方向を表し、矢印ｘ，ｙにより形成される面に対して垂直方向が厚み方向ｚを表す。
【００２２】
使い捨ておむつ１は、前側胴部Ｐと後側胴部Ｑとこれらの間に位置する股部Ｒとから構成された外装部材２を有する。図１に示した使い捨ておむつ１では、外装部材２はウェスト開口部３と一対の脚開口部４を有し、パンツ形状に形成されている。ウェスト開口部３は着用者の胴を通すための開口であり、脚開口部４は着用者の脚を通すための開口である。
【００２３】
外装部材２において、前側胴部Ｐは、おむつを着用の際に着用者の腹側に当てる部分に相当し、後側胴部Ｑは、おむつを着用の際に着用者の背側に当てる部分に相当する。股部Ｒは、前側胴部Ｐと後側胴部Ｑとの間に位置し、着用者の股間に当てる部分に相当する。股部Ｒは、外装部材２を前後方向に３分割した中間に位置する部分であり、パンツ形状に形成された場合に幅方向ｘの両側で互いに接合されない。使い捨ておむつがパンツ型おむつの場合、外装部材２は、例えば、前側胴部Ｐと後側胴部Ｑとを幅方向ｘの両端部のサイド接合部１４で接合することによりパンツ形状に形成される。
【００２４】
使い捨ておむつ１において、前後方向ｙとは、前側胴部Ｐから後側胴部Ｑにかけての方向を意味し、おむつを着用した際の着用者の股間の前後方向に相当する。幅方向ｘとは、おむつを着用した際の着用者の左右方向に相当する。使い捨ておむつの肌面側とは、おむつを着用した際、着用者の肌に向く側の面を意味する。使い捨ておむつの非肌面側とは、おむつを着用した際、着用者とは反対側を向く面を意味する。
【００２５】
外装部材２は、１層のみから構成されていてもよく、複数層から構成されていてもよい。好ましくは、外装部材２は、肌面側に配された内側シート５と、非肌面側に配された外側シート６とを有する。内側シート５と外側シート６は液透過性であっても液不透過性であってもよい。内側シート５と外側シート６は透湿性であることが好ましく、これにより外装部材２の着用感を向上させることができる。
【００２６】
外装部材２の肌面側には、吸収性本体７が設けられる。吸収性本体７は、外装部材２の少なくとも股部Ｒに設けられ、さらに前側胴部Ｐおよび／または後側胴部Ｑに延在していてもよい。吸収性本体７は、接着剤、熱溶着、超音波溶着等の公知の接合手段により外装部材２の肌面側に接合されればよい。
【００２７】
吸収性本体７は吸収体８と防漏シート１２を有する。防漏シート１２は、吸収体８の非肌面側に設けられるとともに、吸収体８の幅方向ｘの側縁から幅方向ｘの外方に延在し、吸収体８の幅方向ｘの側縁に沿って起立可能に設けられる。すなわち、図５や図６に示すように防漏シート１２を幅方向ｘの両側部１２Ｌとその間の中央部１２Ｃとに区分したとき、中央部１２Ｃが吸収体８の非肌面側に設けられ、両側部１２Ｌが吸収体８の幅方向ｘの側縁に沿って起立可能に形成される。吸収体８は、着用者から排泄された尿等を吸収し、防漏シート１２は、吸収体８によって吸収された尿等が外部へ漏れるのを防ぐ。詳細には、防漏シート１２は、中央部１２Ｃによって尿等が吸収体８から外装部材２に移行することを防ぐことができ、両側部１２Ｌによって尿等の横漏れを防ぐことができる。
【００２８】
防漏シート１２の両側部１２Ｌが起立可能に形成されるためには、防漏シート１２の両側部１２Ｌに前後方向ｙに延びる弾性部材を取り付けたり、防漏シート１２の両側部１２Ｌに起立用シートを取り付け、当該起立用シートに前後方向ｙに延びる弾性部材を取り付ければよい。図面では、防漏シート１２の両側部１２Ｌに起立用弾性部材１３が取り付けられている。
【００２９】
防漏シート１２の両側部１２Ｌは、幅方向ｘの内方に傾いて起立可能となっていることが好ましく、そのために、防漏シート１２の両側部１２Ｌは、幅方向ｘの内方に折り返されて、前後方向ｙの両端部が吸収体８の肌面側に接合されたり、防漏シート１２自身に接合されることが好ましい。なお、防漏シート１２の両側部１２Ｌの前後方向ｙの両端部の間の中間部は、吸収体８の肌面側や防漏シート１２自身には接合されないことが好ましい。
【００３０】
防漏シート１２としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、織布、編布、プラスチックフィルム等を用いることができる。防漏シート１２は２以上のシートの積層体から構成されていてもよく、例えば、不織布とプラスチックフィルムとの積層体を用いてもよい。
【００３１】
吸収体８は、吸収性コア９と被覆シート１０を有する。吸収性コア９は、吸収性材料から構成され、着用者から排泄された尿等を収容する。吸収性材料としては、親水性繊維や吸水性樹脂を用いることができる。親水性繊維としては、パルプ繊維等の天然繊維；レーヨン繊維等の再生繊維；アセテート繊維等の半合成繊維；ポリエチレン、ポリプロピレン等のポリオレフィン繊維、ＰＥＴ等のポリエステル繊維、ナイロン等のポリアミド繊維等の合成繊維であって、界面活性剤等により親水化処理がされた繊維等が挙げられる。吸水性樹脂としては、ポリアクリル酸系、ポリアスパラギン酸系、セルロース系、デンプン・アクリロニトリル系等の各吸水性樹脂が挙げられる。
【００３２】
吸収性コア９は、保形性を高める点から、少なくとも親水性繊維を含有することが好ましく、パルプ繊維を含有することがより好ましい。吸収性コア９としては、親水性繊維の集合体を用いることが好ましい。吸収性コア９はまた、吸収容量を高める点から、親水性繊維と吸水性樹脂を含有することが好ましい。この場合、吸収性コア９としては、例えば、親水性繊維の集合体に吸水性樹脂を混合または散布したものを用いることが好ましい。
【００３３】
吸収性コア９の形状（平面形状）は特に限定されない。吸収性コア９の形状としては、例えば、略長方形、砂時計形、ひょうたん形、羽子板形等が挙げられる。吸収性コア９は複数の層が積層して形成されてもよい。吸収性コア９は、外装部材２の少なくとも股部Ｒに設けられ、さらに前側胴部Ｐおよび／または後側胴部Ｑに延在して設けられてもよい。
【００３４】
被覆シート１０は、吸収性コア９の肌面側と非肌面側を覆うように設けられる。被覆シート１０によって、吸収性コア９を所定形状に維持したり、吸収性コア９を構成する吸収性材料の脱落を防いだり、着用者の肌に吸収性材料が直接触れるのを防ぐことができる。被覆シート１０は、吸収性コア９の肌面側と非肌面側の全体を覆うように設けられることが好ましい。
【００３５】
被覆シート１０は、１枚のシート部材から構成されてもよく、２枚以上のシート部材から構成されてもよい。図３には、図２に示した使い捨ておむつのＩＩＩ−ＩＩＩ断面図として、被覆シート１０の構成が異なる２つの例を示した。図３（ａ）では、被覆シート１０は１枚のシート部材から構成され、被覆シート１０が吸収性コア９を肌面側から非肌面側にかけて覆うように設けられている。詳細には、被覆シート１０は、吸収性コア９の肌面側で吸収性コア９の幅方向ｘの全体に延在するとともに、吸収性コア９の幅方向ｘの両側縁に沿って吸収性コア９の非肌面側に折り返され、被覆シート１０の幅方向ｘの両端部が吸収性コア９の非肌面側に位置するように設けられている。この場合、被覆シート１０の幅方向ｘの両端部は、吸収性コア９の非肌面側で互いに重ねられていることが好ましい。また、図面には示されていないが、被覆シート１０は、吸収性コア９を非肌面側から肌面側にかけて覆うように設けられてもよい。この場合、被覆シート１０は、吸収性コア９の非肌面側で吸収性コア９の幅方向ｘの全体に延在するとともに、吸収性コア９の幅方向ｘの両側縁に沿って吸収性コア９の肌面側に折り返され、被覆シート１０の幅方向ｘの両端部が吸収性コア９の肌面側に位置するように設けられるものとなる。この場合は、被覆シート１０の幅方向ｘの両端部は、吸収性コア９の肌面側で互いに重ねられていることが好ましい。
【００３６】
被覆シート１０が２枚以上のシート部材から構成される場合は、被覆シート１０は、図３（ｂ）に示すように、吸収性コア９の肌面側に配される上側被覆シート１０Ａと、吸収性コア９の非肌面側に配される下側被覆シート１０Ｂとから構成されるものであってもよい。この場合、上側被覆シート１０Ａが吸収性コア９の幅方向ｘの両側縁に沿って吸収性コア９の非肌面側に折り返され、上側被覆シート１０Ａの幅方向ｘの両端部が吸収性コア９の非肌面側に位置するように設けられることが好ましい。あるいは、下側被覆シート１０Ｂが吸収性コア９の幅方向ｘの両側縁に沿って吸収性コア９の肌面側に折り返され、下側被覆シート１０Ｂの幅方向ｘの両端部が吸収性コア９の肌面側に位置するように設けられてもよい。
【００３７】
被覆シート１０は、吸収性コア９の肌面側に位置する被覆シート１０の少なくとも一部が液透過性であることが好ましく、全部が液透過性であることがより好ましい。これにより、着用者から排泄された尿等が被覆シート１０を透過し、吸収性コア９によって尿等を好適に吸収することができる。吸収性コア９の非肌面側に位置する被覆シート１０は、液透過性であっても液不透過性であってもよいが、少なくとも一部が液透過性であることが好ましく、全部が液透過性であることがより好ましい。後述するように、吸収体８は、非肌面側の一部が防漏シート１２と非接合となっているため、吸収体８の非肌面側を構成する被覆シート１０の少なくとも一部が液透過性となっていれば、吸収体８の非肌面側からも尿等を吸収することができる。
【００３８】
被覆シート１０としては、ティッシュペーパー、薄葉紙等の紙シート；セルロース、レーヨン、コットン等の親水性繊維から形成された不織布；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、被覆シート１０として、織布、編布、有孔プラスチックフィルム等を用いてもよい。被覆シート１０の一部は、防漏シート１２に使用可能なシート部材から構成されたり、撥水処理が施されていてもよい。
【００３９】
吸収体８の非肌面側は、防漏シート１２に部分的に接合される。図３では、吸収体８と防漏シート１２との接合箇所および防漏シート１２と外装部材２との接合箇所が×印で示されている。また、図５および図６には、吸収性本体７を肌面側から見た平面図が示されているが、吸収体８と防漏シート１２との接合領域がクロスハッチングで示されている。
【００４０】
図５に示されるように、吸収体８を前後方向ｙに前側端部８Ｆと後側端部８Ｂとそれらの間の中間部８Ｍとに区分したとき、前側端部８Ｆと後側端部８Ｂが防漏シート１２に接合され、中間部８Ｍは、幅方向ｘの中央部が防漏シート１２に接合され、幅方向ｘの両側部が防漏シート１２に接合されないように構成される。あるいは、図６に示すように、中間部８Ｍは、防漏シート１２に接合されなくてもよい。つまり、吸収体８の非肌面側の中間部８Ｍは幅方向ｘの両側部が防漏シート１２に対して非接合とされる。このように吸収体８が防漏シート１２に接合されることにより、ウィング部を有する尿パッドを併用する際、尿パッドのウィング部を吸収体８の中間部８Ｍの両側部と防漏シート１２の間に挟み込んで、尿パッドを安定して吸収体８に取り付けることが可能となる。
【００４１】
図７には、ウィング部を有する尿パッドの構成例を示した。尿パッド５１は、吸収体５６が配された本体部５２と、本体部５２から幅方向ｘの外方に延出したウィング部５３を有する。本体部５２では、トップシート５４とバックシート５５の間に吸収体５６が配されており、さらに吸収体５６とバックシート５３の間に台紙５７が配されていてもよい。台紙５７により本体部５２の保形性が高められる。ウィング部５３は、例えば、トップシート５４とバックシート５５が本体部５２から幅方向ｘの外方に延出することにより形成することができる。ウィング部５３の非肌面側には、粘着部や面ファスナー等の止着手段５８が設けられることが好ましい。
【００４２】
吸収体８において、前側端部８Ｆと後側端部８Ｂと中間部８Ｍの前後方向ｙの長さは特に限定されないが、ウィング部を有する尿パッドの取り付けが容易になる点から、中間部８Ｍの前後方向ｙの長さは吸収体８の前後方向ｙの長さの３０％以上であることが好ましく、４０％以上がより好ましく、５０％以上がさらに好ましい。一方、吸収体８の前側端部８Ｆと後側端部８Ｂの防漏シート１２への接合領域を確保する点から、中間部８Ｍの前後方向ｙの長さは吸収体８の前後方向ｙの長さの９０％以下が好ましく、８０％以下がより好ましい。なお、防漏シート１２に接合される吸収体８の前側端部８Ｆと後側端部８Ｂには、吸収性コア９が存在することが好ましく、これにより吸収性コア９の前後端部が防漏シート１２に固定され、吸収体８が安定して防漏シート１２に取り付けられる。
【００４３】
吸収体８の中間部８Ｍのうち、防漏シート１２に接合しうる幅方向ｘの中央部の幅方向ｘの長さは、吸収体８の幅方向ｘの長さの５０％以下が好ましく、３３％以下がより好ましく、２５％以下がさらに好ましい。換言すれば、吸収体８の中間部８Ｍは、防漏シート１２に接合されない幅方向ｘの両側部の幅方向ｘの長さ（幅方向ｘの一方の側部と他方の側部を合わせた幅方向ｘの長さ）が、吸収体８の幅方向ｘの長さの５０％以上であることが好ましく、６７％以上がより好ましく、７５％以上がさらに好ましい。これにより、吸収体８の中間部８Ｍのうち、防漏シート１２に接合されない幅方向ｘの両側部を十分な広さで形成することができる。なお、吸収体８の幅方向ｘの中央部とは、吸収体８の幅方向ｘの中心線を含む部分として規定される。吸収体８の幅方向ｘの中央部の幅方向ｘの長さの下限は特に限定されず、吸収体８の幅方向ｘの長さの１％以上、３％以上、または５％以上であってもよい。吸収体８の中間部８Ｍの幅方向ｘの中央部が防漏シート１２に接合される場合、当該中央部は前後方向ｙに連続的に防漏シート１２に接合されてもよく、断続的に防漏シート１２に接合されてもよい。
【００４４】
吸収体８の中間部８Ｍは、図６に示すように、防漏シート１２に接合されないことが好ましい。すなわち、吸収体８は前側端部８Ｆと後側端部８Ｂのみで防漏シート１２と接合されることが好ましい。これにより、併用する尿パッドのウィング部の幅方向ｘの長さが長く形成されていても、ウィング部の先端を折り曲げることなく吸収体８に巻き付けやすくなる。なお、併用する尿パッドのウィング部は、吸収体８の非肌面側の幅方向ｘの全体にわたって巻き付けられるものであってもよく、幅方向ｘの一部のみに巻き付けられるものであってもよい。
【００４５】
吸収体８の前側端部８Ｆと後側端部８Ｂは、幅方向ｘの広い範囲で防漏シート１２に接合されることが好ましく、これにより吸収体８を安定して防漏シート１２に設置することができる。具体的には、吸収体８の前側端部８Ｆと後側端部８Ｂの防漏シート１２への接合幅、すなわち前側端部８Ｆまたは後側端部８Ｂの防漏シート１２への接合部の幅方向ｘの一方端から他方端までの長さは、吸収体８の幅方向ｘの長さの５０％以上が好ましく、６７％以上がより好ましく、７５％以上がさらに好ましい。
【００４６】
吸収体８は、接着剤、熱溶着、超音波溶着等の公知の接合手段により、防漏シート１２に接合されればよい。なお、吸収体８は接着剤により防漏シート１２に接合されていることが好ましく、これにより吸収体８と防漏シート１２との接合が容易になる。接着剤は所定の領域に全面塗布されてもよく、網状や線状や散点状に塗布されてもよい。接着剤の塗布方法としては、例えば、コーター法、ビード法、カーテンスプレー法、オメガコーティング法、スパイラルコーティング法、パターンコート法等を用いることができる。
【００４７】
ウィング部を有する尿パッドの取り付けが容易になる点から、被覆シート１０は、図３に示すように、吸収性コア９を肌面側から非肌面側にかけて覆うように設けられ、吸収性コア９の両側縁に沿って吸収性コア９の非肌面側に折り返されていることが好ましい。例えば被覆シート１０が１枚から構成される場合は、図３（ａ）に示すように、被覆シート１０は、吸収性コア９を肌面側から非肌面側にかけて覆うように設けられ、吸収性コア９の両側縁に沿って吸収性コア９の非肌面側に折り返され、被覆シート１０の幅方向ｘの両端部が吸収性コア９の非肌面側で互いに重ねられることが好ましい。図３（ｂ）に示すように被覆シート１０が上側被覆シート１０Ａと下側被覆シート１０Ｂから構成される場合は、上側被覆シート１０Ａが吸収性コア９を肌面側から非肌面側にかけて覆うように設けられ、吸収性コア９の両側縁に沿って吸収性コア９の非肌面側に折り返され、吸収性コア９の非肌面側に折り返された上側被覆シート１０Ａの幅方向ｘの両端部は下側被覆シート１０Ｂと接合されていることが好ましい。このように吸収体８が形成されていれば、吸収体８の幅方向ｘの側縁が吸収性コア９の幅方向ｘの側縁と略一致し、尿パッドを吸収体８に取り付ける際、尿パッドのウィング部を吸収性コア９の幅方向ｘの側縁に沿って折り曲げやすくなる。また、吸収体８の肌面側の肌触りも良好なものとなる。
【００４８】
被覆シート１０は上側被覆シート１０Ａと下側被覆シート１０Ｂから構成され、下側被覆シート１０Ｂの目付が上側被覆シート１０Ａの目付よりも大きいことも好ましい。ウィング部を有する尿パッドでは、ウィング部の非肌面側に通常、粘着部や面ファスナー等の止着手段が設けられるが、そのようなウィング部を有する尿パッドを吸収体８に取り付ける際、ウィング部の止着手段は下側被覆シート１０Ｂに対して止着しやすくなる。そのため、下側被覆シート１０Ｂの目付を上側被覆シート１０Ａの目付よりも大きくすることで、ウィング部の止着手段が止着・脱着することによる被覆シート１０の損傷を抑えやすくなる。
【００４９】
吸収性コア９は、幅方向ｘの両側縁が直線状に形成されていることが好ましい。例えば、吸収性コア９は、長方形、角が丸まった長方形、長円形等の形状に形成されていることが好ましい。このように吸収性コア９が形成されていれば、ウィング部を有する尿パッドを吸収体８に取り付ける際、ウィング部を吸収性コア９の両側縁に沿って真っ直ぐに折り曲げやすくなる。そのため、尿パッドを安定して吸収体８に取り付けることができ、また、吸収体８に取り付けた尿パッドに縒れや歪みが生じにくくなる。
【００５０】
図２および図４に示すように、吸収性本体７の前側端部には前側押さえシート１５が設けられ、吸収性本体７の後側端部には後側押さえシート１６が設けられることが好ましい。具体的には、前側押さえシート１５は、吸収性コア９の前側縁を覆い、吸収性本体７と外装部材２に接合して設けられ、後側押さえシート１６は、吸収性コア９の後側縁を覆い、吸収性本体７と外装部材２に接合して設けられることが好ましい。これにより、吸収性コア９の前後端部が前側押さえシート１５と後側押さえシート１６によって肌面側から押さえられ、ウィング部を有する尿パッドを吸収体８に取り付けた際に、吸収体８が防漏シート１２や外装部材２から浮き上がるのを抑えることができる。また、吸収体８の前後端部が着用者の肌と接触したりして、吸収体８の前後端部にせん断力がかかっても、前側押さえシート１５と後側押さえシート１６によって吸収体８の前後端部が防漏シート１２から剥離するのを抑えることができる。そのため、ウィング部を有する尿パッドを併用した際に、尿パッドを着用者の股間部に安定してセットすることができる。
【００５１】
前側押さえシート１５は、吸収性コア９の前側縁を覆うとともに防漏シート１２の前側縁を覆うように設けられることが好ましい。同様に、後側押さえシート１６は、吸収性コア９の後側縁を覆うとともに防漏シート１２の後側縁を覆うように設けられることが好ましい。これにより、防漏シート１２の前後端部が前側押さえシート１５と後側押さえシート１６によって肌面側から押さえられ、防漏シート１２の前後端部からの尿等の漏れを防止することができる。
【００５２】
前側押さえシート１５は、吸収性コア９の前側縁を覆うとともに、吸収性コア９の前側縁より前側に延在し、吸収性本体７と外装部材２とに跨って設けられることが好ましい。後側押さえシート１６は、吸収性コア９の後側縁を覆うとともに、吸収性コア９の後側縁より後側に延在し、吸収性本体７と外装部材２とに跨って設けられることが好ましい。これにより、前側押さえシート１５と後側押さえシート１６によって吸収性本体７を安定して外装部材２に取り付けることができる。また、吸収性本体７の前後端部がめくれ返ったりせず、使い捨ておむつの着用感を向上させることができる。
【００５３】
前側押さえシート１５と後側押さえシート１６は、吸収体８を幅方向ｘに横切って設けられることが好ましく、吸収性本体７を幅方向ｘに横切って設けられることがより好ましい。特に、前側押さえシート１５は外装部材２の前側胴部Ｐの幅方向ｘの全体にわたって設けられ、後側押さえシート１６は外装部材２の後側胴部Ｑの幅方向ｘの全体にわたって設けられることが好ましく、これにより、前側押さえシート１５と後側押さえシート１６によって、吸収性本体７を安定して外装部材２に取り付けることができる。
【００５４】
前側押さえシート１５は、前側胴部Ｐおよび／または股部Ｒに設けられることが好ましく、前側胴部Ｐのみに設けられることがより好ましい。この場合、吸収性コア９は外装部材２の股部Ｒから前側胴部Ｐにかけて延在する。後側押さえシート１６は、後側胴部Ｑおよび／または股部Ｒに設けられることが好ましく、後側胴部Ｑのみに設けられることが好ましい。この場合、吸収性コア９は外装部材２の股部Ｒから後側胴部Ｑにかけて延在する。これにより、吸収体８の肌面側に露出した部分の面積を広くとることができ、使い捨ておむつ１の吸収性能を高めることができる。なお、前側押さえシート１５と後側押さえシート１６の外装部材２への接合面積を確保する点から、吸収性本体７の前側縁は外装部材２の前側胴部Ｐの前後方向ｙの中間線より後側に位置することが好ましく、吸収性本体７の後側縁は外装部材２の後側胴部Ｑの前後方向ｙの中間線より前側に位置することが好ましい。
【００５５】
前側押さえシート１５は、吸収性本体７の前側縁より前側部分の前後方向ｙの長さが、吸収性本体７の前側縁より後側部分の前後方向ｙの長さよりも長いことが好ましく、後側押さえシート１６は、吸収性本体７の後側縁より後側部分の前後方向ｙの長さが、吸収性本体７の後側縁より前側部分の前後方向ｙの長さより長いことが好ましい。このように前側押さえシート１５と後側押さえシート１６を設けることにより、吸収体８の肌面側に露出した部分の面積を確保しつつ、前側押さえシート１５と後側押さえシート１６によって吸収性本体７を安定して外装部材２に取り付けることができる。
【００５６】
前側押さえシート１５と後側押さえシート１６は、被覆シート１０や防漏シート１２に使用可能なシート材料から構成することができ、特に不織布から構成されることが好ましい。これにより、前側押さえシート１５や後側押さえシート１６が設けられた箇所で、使い捨ておむつ１の肌触りを良好なものとすることができる。
【００５７】
前側押さえシート１５と後側押さえシート１６は、接着剤により吸収性本体７と外装部材２に接合されることが好ましい。接着剤としてはホットメルト接着剤を用いることが好ましい。前側押さえシート１５と後側押さえシート１６は、線状の接着パターンにより、吸収性本体７と外装部材２に接合されることが好ましい。これにより、外装部材２の前側押さえシート１５と後側押さえシート１６が設けられた部分の柔軟性や通気性が高まり、使い捨ておむつ１の着用感を向上させることができる。線状の接着パターンは、接着剤が直線状に塗布されてもよく、曲線状に塗布されてもよく、これらの組み合わせで塗布されてもよい。接着剤が曲線状に塗布される場合は、例えば、蛇行状やらせん状（スパイラル状）に塗布されればよい。蛇行状には、例えば、正弦波状やΩ状の繰り返しパターン等が含まれる。線状の接着パターンは、接着剤をコーター法、ビード法、オメガコーティング法、スパイラルコーティング法、パターンコート法等により塗布することにより形成することができる。
【００５８】
前側押さえシート１５は、吸収性本体７の前側縁より後側部分の単位面積当たりの接着剤塗布量が、吸収性本体７の前側縁より前側部分の単位面積当たりの接着剤塗布量よりも多いことが好ましく、後側押さえシート１６は、吸収性本体７の後側縁より前側部分の単位面積当たりの接着剤塗布量が、吸収性本体７の後側縁より後側部分の単位面積当たりの接着剤塗布量よりも多いことが好ましい。これにより、吸収性本体７の前側端部と後側端部が前側押さえシート１５と後側押さえシート１６によって強固に接合され、吸収性本体７を安定して外装部材２に取り付けることができる。また、外装部材２の吸収性本体７の前側縁より前側部分と後側縁より後側部分の柔軟性や通気性を高めることができる。
【００５９】
外装部材２は前側端部と後側端部が肌面側に折り返されていることが好ましい。特に、外装部材２が内側シート５と外側シート６から構成され、図２や図４に示すように、外側シート６が外装部材２の前側縁または後側縁に沿って肌面側に折り返されていることが好ましい。パンツ型使い捨ておむつの場合は、外装部材２の外側シート６がウェスト開口部３の縁に沿って肌面側に折り返されていることが好ましい。これにより、外装部材２の前側端部と後側端部の強度を高めることができ、また、外装部材２の前側縁と後側縁の端面をすっきりと形成することができる。
【００６０】
上記のように外装部材２が構成される場合、前側押さえシート１５の前側縁は、肌面側に折り返された外装部材２の前側端部によって覆われていることが好ましく、特に外装部材２の前側縁に沿って肌面側に折り返された外側シート６によって覆われていることが好ましい。後側押さえシート１６の後側縁は、肌面側に折り返された外装部材２の後側端部によって覆われていることが好ましく、特に外装部材２の後側縁に沿って肌面側に折り返された外側シート６によって覆われていることが好ましい。これにより、使い捨ておむつ１を着用の際、前側押さえシート１５の前側縁と後側押さえシート１６の後側縁がめくれ上がるのが防止され、前側押さえシート１５と後側押さえシート１６を安定して外装部材２に取り付けることができる。
【００６１】
吸収体８の非肌面側に設けられる防漏シート１２は、前後方向ｙに対してより広い範囲が外装部材２に接合されることが好ましい。防漏シート１２の非肌面側は、例えば、防漏シート１２の前後方向ｙの長さの７０％以上の範囲が外装部材２に接合されることが好ましく、８０％以上がより好ましく、９０％以上がさらに好ましい。
【００６２】
防漏シート１２は、吸収体８の中間部８Ｍの幅方向ｘ両側部と重なる部分で、外装部材２に接合されることが好ましい（図３を参照）。これにより、ウィング部を有する尿パッドを吸収体８に取り付ける際、尿パッドのウィング部を吸収体８の中間部８Ｍの幅方向ｘの両側部と防漏シート１２の間に挟み込むことが容易になり、尿パッドの吸収体８への取り付け作業が容易になる。
【００６３】
防漏シート１２は、吸収体８の幅方向ｘの側縁よりも幅方向ｘの外方部分で、外装部材２に接合されることが好ましい。詳細には、防漏シート１２は、吸収体８の前側端部８Ｆと後側端部８Ｂと中間部８Ｍのそれぞれにおいて、吸収体８の幅方向ｘの側縁よりも幅方向ｘの外方部分で、外装部材２に接合されることが好ましい。このように防漏シート１２を外装部材２に接合することにより、防漏シート１２の両側部１２Ｌが起立する起点となる起立基部が、吸収体８の幅方向ｘの側縁から幅方向ｘの外方に離間して位置することとなる。そのため、ウィング部を有する尿パッドを吸収体８に取り付ける際、尿パッドのウィング部を吸収体８と防漏シート１２の両側部１２Ｌの間を通して、吸収体８の非肌面側に取り付けることが容易になる。防漏シート１２の両側部１２Ｌの起立基部と吸収体８の幅方向ｘの側縁との離間距離は５ｍｍ以上が好ましく、１０ｍｍ以上がより好ましく、１５ｍｍ以上がさらに好ましく、これにより尿パッドのウィング部を吸収体８の下側に取り付けることが容易になる。一方、防漏シート１２の両側部１２Ｌの起立基部と吸収体８の幅方向ｘの側縁との離間距離は６０ｍｍ以下が好ましく、５０ｍｍ以下がより好ましく、３０ｍｍ以下がさらに好ましく、これにより吸収体８の幅方向ｘの長さが狭くなりすぎず、吸収体８の吸収容量を確保しやすくなる。
【００６４】
防漏シート１２の両側部１２Ｌは、幅方向ｘの内方に傾いて起立可能に形成され、防漏シート１２の両側部１２Ｌは、倒伏状態で吸収体８と重ならないように設けられていることが好ましい。このように防漏シート１２の両側部１２Ｌが形成されていれば、ウィング部を有する尿パッドを吸収体８に取り付ける際に防漏シート１２の両側部１２Ｌが邪魔にならず、ウィング部を吸収体８の非肌面側に取り付けることが容易になる。また、防漏シート１２の両側部１２Ｌが幅方向ｘの内方に傾いて起立することによって、尿等の横漏れ防止効果が高まる。この場合、防漏シート１２の両側部１２Ｌの前後方向ｙの両端部は、防漏シート１２自身に接合されることが好ましい。
【００６５】
吸収性コア９の非肌面側にはコア裏面接着部１１が設けられ、コア裏面接着部１１で吸収性コア９と被覆シート１０とが接合されていることが好ましい（図３を参照）。コア裏面接着部１１は吸収性コア９の非肌面側に接着剤層を設けることにより形成することができ、これにより、コア裏面接着部１１での吸収性コア９の剛性を高めることができる。
【００６６】
コア裏面接着部１１は、吸収体８の前側端部８Ｆから後側端部８Ｂにかけて設けられることが好ましい。このようにコア裏面接着部１１を設けることにより、吸収体８の前側端部８Ｆから後側端部８Ｂにかけて剛性が付与され、ウィング部を有する尿パッドを吸収体８に取り付ける際に、吸収体８がへたりにくくなり、ウィング部の吸収体８の非肌面側への取り付け作業が容易になる。
【００６７】
コア裏面接着部１１は、少なくとも吸収体８の中間部８Ｍにおいて、吸収性コア９の幅方向ｘの一方側と他方側に設けられることが好ましい。このようにコア裏面接着部１１を設けることにより、吸収体８の非肌面側のウィング部が当たる部分の剛性が高まり、ウィング部の吸収体８の非肌面側への取り付け作業が容易になる。なお、吸収性コア９の幅方向ｘの一方側のコア裏面接着部１１と他方側のコア裏面接着部１１は、互いに離間していてもよく、連続して設けられていてもよい。コア裏面接着部１１の幅方向ｘの長さ（合計長さ）は、吸収性コア９の幅方向ｘの長さの３０％以上であることが好ましく、３５％以上がより好ましく、４０％以上がさらに好ましい。また、コア裏面接着部１１は、吸収性コア９を幅方向ｘに３等分したときの幅方向ｘの両側部の少なくとも一部に設けられることが好ましく、幅方向ｘの中央部に設けられてもよい。
【００６８】
コア裏面接着部１１において、接着剤は全面塗布されてもよく、網状や線状や散点状に塗布されてもよい。なお、コア裏面接着部１１において吸収性コア９の剛性を適度に高めることが容易な点から、接着剤は網状や曲線状（例えば、蛇行状やらせん状）に塗布されることが好ましい。そのような接着剤の塗布方法として、コア裏面接着部１１は、カーテンスプレー法、オメガコーティング法、スパイラルコーティング法、パターンコート法等により形成されることが好ましい。
【００６９】
外装部材２には、脚開口部４の縁に沿って、脚部弾性部材１７が設けられることが好ましい（図１および図２を参照）。特にパンツ型の使い捨ておむつである場合は、外装部材２にこのように脚部弾性部材１７が設けられることが好ましい。図面では、脚部弾性部材１７は、脚開口部４の前側の縁に沿って設けられる前側脚部弾性部材１７Ｆと、脚開口部４の後側の縁に沿って設けられる後側脚部弾性部材１７Ｂとから構成されている。前側脚部弾性部材１７Ｆと後側脚部弾性部材１７Ｂとにより、脚開口部４の縁のほぼ全周にわたり弾性部材が設けられる。脚部弾性部材１７により、着用者の脚周りに沿ったレッグギャザーが形成され、股部Ｒからの尿等の漏れが防止される。図面では、前側脚部弾性部材１７Ｆと後側脚部弾性部材１７Ｂが互いに離間して設けられているが、前側脚部弾性部材１７Ｆと後側脚部弾性部材１７Ｂは互いに接していたり交差していてもよい。
【００７０】
前側脚部弾性部材１７Ｆと後側脚部弾性部材１７Ｂは、吸収体８と重なる部分で断続的に設けられることが好ましい。なお、それ以外の部分では、前側脚部弾性部材１７Ｆと後側脚部弾性部材１７Ｂは連続的に設けられることが好ましい。このように前側脚部弾性部材１７Ｆと後側脚部弾性部材１７Ｂが設けられれば、吸収体８が歪みにくくなり、吸収体８の着用者の股間でのフィット性が高まる。また、ウィング部を有する尿パッドを吸収体８に安定して取り付けやすくなる。脚部弾性部材１７を断続的に設ける場合は、脚部弾性部材１７を外装部材２に接着固定した後、脚部弾性部材１７をカッター等で切断すればよい。このようにすることで、脚部弾性部材１７を製造上簡単に断続的に設けることができ、また脚部弾性部材１７が断続的に設けられた部分で、弾性部材の収縮力を実質的に失わせることができる。
【００７１】
外装部材２の前側胴部Ｐと後側胴部Ｑには、幅方向ｘに延びる複数の胴部弾性部材１８が設けられることが好ましい。胴部弾性部材１８は、ウェスト開口部３と脚開口部４の間に設けられる。胴部弾性部材１８により、着用者の胴周りのフィット性が高められる。なお、胴部弾性部材１８のうち、ウェスト開口部３の縁に沿って設けられる弾性部材を腰部弾性部材１９として設けてもよく、これにより着用者の腰周りに沿ったウェストギャザーが形成され、背中側や腹部側からの尿等の排泄物の漏れが防止される。図１および図２では、腰部弾性部材１９は胴部弾性部材１８よりも前後方向ｙに狭い間隔で設けられている。
【００７２】
外装部材２に設けられる脚部弾性部材１７、胴部弾性部材１８、腰部弾性部材１９は、図面に示すように外装部材２が内側シート５と外側シート６とから構成されている場合は、内側シート５と外側シート６の間に配されることが好ましい。腰部弾性部材１９は、ウェスト開口部３の縁で内側シート５側に折り返された外側シート６間に挟まれて、外側シート６に接着されていてもよい。
【００７３】
使い捨ておむつ１に設けられる各弾性部材としては、ポリウレタン糸、ポリウレタンフィルム、天然ゴム等の通常の使い捨ておむつに用いられる弾性伸縮材料を用いることができる。各弾性部材は、伸張状態でおむつに固定されることが好ましく、また、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接着剤としては、ゴム系のホットメルト接着剤を用いることが好ましい。なお、前記倍率は、非伸張状態を１．０倍とする。
【００７４】
また、上記説明した防漏シート１２、被覆シート１０、内側シート５、外側シート６等のシート材料として不織布を用いる場合、不織布としては、スパンボンド不織布、エアスルー不織布、ポイントボンド不織布、メルトブロー不織布、ＳＭＳ不織布等を用いることが好ましく、これにより薄くて丈夫なシートを容易に得ることができる。
【００７５】
以上、本発明の使い捨ておむつをパンツ型おむつに適用する場合について説明したが、本発明の使い捨ておむつは、後側胴部の幅方向の両側にそれぞれ止着テープが設けられ、当該止着テープにより着用時にパンツ形状に形成するオープンタイプ（テープタイプ）の使い捨ておむつであってもよい。また、本発明の使い捨ておむつは、ウィング部を有さない尿パッドを併用することも可能であり、また尿パッドを併用せずに単独で使用することも可能である。
【符号の説明】
【００７６】
１：使い捨ておむつ
２：外装部材
３：ウェスト開口部
４：脚開口部
５：内側シート
６：外側シート
７：吸収性本体
８：吸収体、８Ｆ：前側端部、８Ｂ：後側端部、８Ｍ：中間部
９：吸収性コア
１０：被覆シート、１０Ａ：上側被覆シート、１０Ｂ：下側被覆シート
１１：コア裏面接着部
１２：防漏シート、１２Ｃ：中央部、１２Ｌ：両側部
１３：起立用弾性部材
１４：サイド接合部
１５：前側押さえシート
１６：後側押さえシート
１７：脚部弾性部材、１７Ｆ：前側脚部弾性部材、１７Ｂ：後側脚部弾性部材
１８：胴部弾性部材
１９：腰部弾性部材
Ｐ：前側胴部
Ｑ：後側胴部
Ｒ：股部
【図１】
2020192178.tif 000003
【図２】
2020192178.tif 000004
【図３】
2020192178.tif 000005
【図４】
2020192178.tif 000006
【図５】
2020192178.tif 000007
【図６】
2020192178.tif 000008
【図７】
2020192178.tif 000009